(57)【要約】【課題】冷却性能に優れ、配置スペースを容易に確保できる熱交換器を提供する。【解決手段】底板部２０と、底板部２０の外周縁部から立設した側壁部２２と、側壁部２２によって囲まれた空間を複数の流路形成凹部３に区画するように配設された中央壁部２３とを有するハウジング部２と、流路形成凹部３に配設されたヒートシンク部４とを有する熱交換器１である。ヒートシンク部４は発熱体を搭載する発熱体搭載面４００を有するベース部４０と、ベース部４０における発熱体搭載面４００と反対側の面から立設させた放熱フィン部４１とを備えており、放熱フィン部４１を流路形成凹部３に挿入した状態でベース部４０と側壁部２２及び中央壁部２３とが接合されている。側壁部２２には流路形成凹部３に連通する冷媒導入口５及び冷媒導出口５０が設けられている。中央壁部２３にはヒートシンク部４の発熱体搭載面４００よりも内方に窪んだ中央凹部２１が設けられている。【選択図】図６
2013219127.tif 000002
【特許請求の範囲】
【請求項１】
四角形状の底板部と、該底板部の外周縁部から立設した４つの側壁部と、該側壁部によって囲まれた空間を複数の流路形成凹部に区画するように配設された中央壁部とを有するハウジング部と、
上記複数の流路形成凹部にそれぞれ配設されたヒートシンク部とを有し、
該各ヒートシンク部は、発熱体を搭載するための発熱体搭載面を有する板状のベース部と、該ベース部における上記発熱体搭載面と反対側の面から立設させた放熱フィン部とを備えているとともに、該放熱フィン部を上記流路形成凹部に挿入した状態で上記ベース部と上記側壁部及び上記中央壁部とが接合されており、
上記側壁部には、上記流路形成凹部に連通するように貫通形成された冷媒導入口及び冷媒導出口が設けられており、
上記中央壁部には、上記ヒートシンク部の上記発熱体搭載面よりも内方に窪んだ中央凹部が設けられていることを特徴とする熱交換器。
【請求項２】
請求項１に記載の熱交換器において、上記中央壁部には、隣接する上記流路形成凹部を連通させるよう貫通形成された中央穴部が設けられていることを特徴とする熱交換器。
【請求項３】
請求項１または２に記載の熱交換器において、上記ハウジング部は、アルミニウム材をダイキャストすることにより作製してなることを特徴とする熱交換器。
【請求項４】
請求項１〜３のいずれか１項に記載の熱交換器において、上記ヒートシンク部は、上記ベース部と、該ベース部から立設させた多数のピンとを有するとともに、アルミニウム材を用いて鍛造により一体的に成形してなることを特徴とする熱交換器。
【請求項５】
請求項１〜４のいずれか１項に記載の熱交換器において、上記ベース部と上記側壁部及び上記中央壁部との接合が、ろう付けまたは摩擦撹拌接合によりなされていることを特徴とする熱交換器。
【発明の詳細な説明】
【技術分野】
【０００１】
本発明は、ＩＧＢＴ（Insulated  Gate  Bipolar  Transistor）等の発熱体を冷却するための熱交換器に関する。
【背景技術】
【０００２】
現在広く使用されるようになってきたハイブリッド自動車や、次世代の環境対策自動車として注目される電気自動車には、駆動用モータを制御するための電子部品としてインバーターユニットが用いられている。インバーターユニットには、スイッチング機能を果たすＩＧＢＴが備えられている。ＩＧＢＴは、使用時に発熱するが、高温になれば本来の機能を発揮し得ないため、冷却を十分に行う必要がある。一方、高速スイッチング機能等のＩＧＢＴに求められる特性が年々高まり、これに伴って発熱量も増大してきており、ＩＧＢＴを冷却するシステムの機能向上がますます重要視されている。
【０００３】
ＩＧＢＴの冷却には、ヒートシンクを用いるのが効果的である。ヒートシンクは、熱伝導性のよい材料を用いて作製され、単位面積当たりの表面積を大きくすることにより、接触配置された発熱体からの熱を放熱する機能を有する。表面積を大きくする形態としては、フィンタイプ、コルゲートタイプなどの様々な形態がある。
【０００４】
また、放熱性能をさらに向上させるため、ヒートシンクのフィン部分を冷却液が流通する流路内に配置することによって、冷却液を媒体として効率よく放熱する液冷式の冷却システムが知られている。例えば、特許文献１〜３には、冷却液の流通する流路と、冷却液の入口及び出口とがヒートシンクとしてのアッパーケースを受けるロワケースに形成された熱交換器が提案されている。これらの熱交換器は、ヒートシンクのフィン部分をロワケースの流路部分に配置した状態でアッパーケースとロワケースとを接合して構成されている。このようにして作製した熱交換器は、アッパーケースのフィン部と反対側の面にＩＧＢＴなどの発熱体を接触配置させることで、その冷却機能が発揮されることとなる。
【０００５】
また、車載用のＩＧＢＴを冷却するための熱交換器には、放熱性能のみならず、小型かつ軽量であることが求められている。このような要求に対応するため、アルミニウム材を採用した熱交換器がある。
【先行技術文献】
【特許文献】
【０００６】
【特許文献１】特開２００１−３１３３５７号公報
【特許文献２】特開２００９−１３５４７７号公報
【特許文献３】特開２０１０−６９５０３号公報
【発明の概要】
【発明が解決しようとする課題】
【０００７】
従来、ヒートシンクを受けるハウジング部は、特許文献１〜３に開示されたロワケースのごとく略直方体状を呈しており、ハウジング部に設けられる流路は、ハウジング部の一面に凹部を設けることにより形成されている。また、この凹部に放熱フィンが挿入されるようにしてヒートシンク部が配置されており、放熱フィンを有する面とは反対側の面に発熱体が搭載される。
【０００８】
しかしながら、近年では、熱交換器の周辺に配置される機器群を高密度に実装することがより強く望まれている。そのため、従来の熱交換器では、高密度に配置される周辺機器群の中で、熱交換器を配置するスペースを確保することが困難であった。
【０００９】
本発明は上記の背景に鑑みてなされたものであって、冷却性能に優れ、配置スペースを容易に確保できる熱交換器を提供しようとするものである。
【課題を解決するための手段】
【００１０】
本発明の一態様は、四角形状の底板部と、該底板部の外周縁部から立設した４つの側壁部と、該側壁部によって囲まれた空間を複数の流路形成凹部に区画するように配設された中央壁部とを有するハウジング部と、
上記複数の流路形成凹部にそれぞれ配設されたヒートシンク部とを有し、
該各ヒートシンク部は、発熱体を搭載するための発熱体搭載面を有する板状のベース部と、該ベース部における上記発熱体搭載面と反対側の面から立設させた放熱フィン部とを備えているとともに、該放熱フィン部を上記流路形成凹部に挿入した状態で上記ベース部と上記側壁部及び上記中央壁部とが接合されており、
上記側壁部には、上記流路形成凹部に連通するように貫通形成された冷媒導入口及び冷媒導出口が設けられており、
上記中央壁部には、上記ヒートシンク部の上記発熱体搭載面よりも内方に窪んだ中央凹部が設けられていることを特徴とする熱交換器にある（請求項１）。
【発明の効果】
【００１１】
上記熱交換器は、上記ヒートシンク部における上記放熱フィン部を上記流路形成凹部に挿入した状態で配置しており、上記ベース部と上記側壁部及び上記中央壁部とが接合されている。これにより、上記流路形成凹部内に冷媒液が流通した場合に、上記放熱フィン部が上記冷媒液に接触する。その結果、上記冷媒液が上記放熱フィン部から効率よく熱を除去することができるため、上記熱交換器は放熱性能に優れたものとなる。
【００１２】
また、上記熱交換器は、上記複数の流路形成凹部を有している。そのため、複数列に並べた発熱体を冷却する場合に好適である。また、上記複数の流路形成凹部は、各々の幅を個々の流路形成凹部に流通する冷媒液の流速分布を一様とするのに適切な範囲とすることができる。これにより、冷媒液が上記放熱フィン部全体に均一に接触しやすくなるため、上記放熱フィン部全体から均一に放熱することが可能となる。その結果、上記熱交換器は、複数の発熱体を均一に冷却することが可能なものとなる。
【００１３】
また、上記ヒートシンク部の上記発熱体搭載面よりも内方に窪んだ中央凹部が設けられている。これにより、上記熱交換器の周辺部に配置される機器類の一部が上記熱交換器側に突出していても、上記中央凹部にこの突出部分を収容することができる。その結果、配置スペースを容易に確保できるとともに、デッドスペースを低減することができる。
【００１４】
以上のごとく、上記態様によれば、冷却性能に優れ、配置スペースを容易に確保できる熱交換器を提供することができる。
【図面の簡単な説明】
【００１５】
【図１】実施例１における、熱交換器の斜視図。
【図２】実施例１における、ハウジング部の斜視図。
【図３】図２のＡ−Ａ線矢視断面図。
【図４】図２のＢ−Ｂ線矢視断面図。
【図５】実施例１における、ヒートシンク部の斜視図。
【図６】実施例１における、熱交換器の部品展開図。
【図７】実施例１における、ヒートシンク部とハウジング部との接合後の状態を示す断面図。
【図８】実施例２における、流路形成凹部ごとに冷媒導入口及び冷媒導出口を設けた熱交換器の斜視図。
【図９】実施例２における、ハウジング部の斜視図。
【発明を実施するための形態】
【００１６】
上記熱交換器において、上記中央凹部は、周辺機器類の一部を配置する有効スペースとして利用するだけでなく、比較的発熱量の少ない発熱体を搭載することもできる。この中央凹部においては、発熱体から発生する熱が中央凹部を構成する底板部及び中央壁部を介して上記流路形成凹部に熱伝導し、冷媒液と熱交換を行うことができる。その結果、上記中央凹部に搭載された発熱体の冷却を行うことが可能となる。
【００１７】
また、上記中央壁部には、隣接する上記流路形成凹部を連通させるよう貫通形成された中央穴部が設けられていてもよい（請求項２）。
この場合には、上記中央穴部を介して冷媒液を複数の上記流路形成凹部の間に流通させることが可能となる。これにより、上記冷媒導入口及び上記冷媒導出口が各々１つずつされていれば冷媒液を複数の上記流路形成凹部の間に流通させることができる。その結果、上記熱交換器の部品点数を低減するとともに、上記熱交換器をより小型化することができる。
【００１８】
また、上記ハウジング部は、アルミニウム材をダイキャストすることにより作製することが好ましい（請求項３）。
ダイキャスト成形は、薄肉部分や複雑形状を有する部材の成形に好適な手法である。そのため、上記ハウジング部をダイキャストにより作製することで、上記底板部や、上記側壁部、上記中央壁部等の壁面の厚みを容易に薄肉化することができる。その結果、上記熱交換器をより軽量化することが可能となる。また、上記中央壁部に上記中央穴部が形成される場合には、予め中央穴部を有した状態で上記中央壁部を形成することができ、上記ハウジング部の生産性を向上させることができる。
【００１９】
また、上記ヒートシンク部は、上記ベース部と、該ベース部から立設させた多数のピンとを有するとともに、アルミニウム材を用いて鍛造により一体的に成形していてもよい（請求項４）。
この場合には、上記ヒートシンク部の成形を短時間で行うことができるとともに、高精度の寸法のものを成形することができる。また、上記流路形成凹部内を流通する冷媒液が、上記多数のピンと接触しながら熱交換を行うため、熱交換を行いやすくなるとともに冷媒液の流速分布を一様にしやすいものとなる。その結果、上記熱交換器の冷却性能をより向上させることができる。
【００２０】
また、上記ベース部と上記側壁部及び上記中央壁部との接合が、ろう付けまたは摩擦撹拌接合によりなされていてもよい（請求項５）。
この場合には、上記接合を、未接合部分のないように行うことが容易となる。そのため、上記接合部分からの冷媒液の漏出を防止することができる。なお、上記ベース部と上記冷却管部との接合には、溶接、接着剤による接合等、公知の接合方法を採用することもできる。
【実施例】
【００２１】
（実施例１）
上記熱交換器１の実施例について、図１〜図７を用いて説明する。熱交換器１は、図１及び図６に示すごとく、四角形状の底板部２０と、底板部２０の外周縁部から立設した４つの側壁部２２と、側壁部２２によって囲まれた空間を複数の流路形成凹部３に区画するように配設された中央壁部２３とを有するハウジング部２と、複数の流路形成凹部３にそれぞれ配設されたヒートシンク部４とを有している。各ヒートシンク部４は、図５に示すごとく、発熱体を搭載するための発熱体搭載面４００を有する板状のベース部４０と、ベース部４０における発熱体搭載面４００と反対側の面から立設させた放熱フィン部４１とを備えている。また、ヒートシンク部４は、図７に示すごとく、放熱フィン部４１を流路形成凹部３に挿入した状態でベース部４０と側壁部２２及び中央壁部２３とが接合されている。側壁部２２には、図２に示すごとく、流路形成凹部３に連通するように貫通形成された冷媒導入口５及び冷媒導出口５０が設けられている。そして、中央壁部２３には、図１及び図３に示すごとく、ヒートシンク部４の発熱体搭載面４００よりも内方に窪んだ中央凹部２１が設けられている。
【００２２】
ハウジング部２は、図２及び図３に示すごとく、１枚の中央壁部２３によって区画された２本の流路形成凹部３を有している。以下において、この２本の流路形成凹部３の並び方向を「幅方向Ｙ」といい、幅方向Ｙと直角な方向、つまり流路形成凹部３の長手方向を「長手方向Ｘ」という。
【００２３】
２本の流路形成凹部３のうち、一方の流路形成凹部３における長手方向Ｘの一端は、図２に示すごとく、側壁部２２に貫通形成された略円筒形状の冷媒導入口５と連通している。また、他方の流路形成凹部３における長手方向Ｘの他端は、側壁部２２に貫通形成された略円筒形状の冷媒導出口５０と連通している。また、中央壁部２３の長手方向Ｘにおける両端には、図２及び図４に示すごとく、２つの流路形成凹部３を連通するように中央穴部２３０が貫通形成されている。これにより、冷媒導入口５と冷媒排出口との間が、２本の流路形成凹部３と中央穴部２３０とを介して連通するように構成されている。
【００２４】
また、流路形成凹部３の開口端周縁、つまり流路形成凹部３を構成する側壁部２２及び中央壁部２３における先端部には、図３及び図４に示すごとく、流路形成凹部３側をその外側に比べて高さを低くした段部３１が形成されている。そして、図７に示すごとく、流路形成凹部３にヒートシンク部４の放熱フィン部４１が挿入されるとともに、ベース部４０の周縁が段部３１に嵌合されている。これにより、ヒートシンク部４の発熱体搭載面４００と、流路形成凹部３周縁の外周面とが面一に配置されている。なお、図２及び図６への段部３１の記載は、便宜上省略してある。
【００２５】
ヒートシンク部４は、図５に示すごとく、略長方形状のベース部４０と、ベース部４０から長手方向Ｘと幅方向Ｙとの双方に直交する方向（以下、この方向を「高さ方向Ｚ」という。）に立設された放熱フィン部４１とを有している。また、放熱フィン部４１を形成した面とは反対側の面が、発熱体を搭載する発熱体搭載面４００を構成している。
【００２６】
放熱フィン部４１は、図５に示すごとく、円柱状のピン４１０を多数立設して構成されている。また、放熱フィン部４１は、上述のごとくハウジング部２の流路形成凹部３に挿入配置することができるように、ピン４１０が立設される領域が流路形成凹部３の開口領域よりも小さくなるように形成されている。また、放熱フィン部４１におけるピン４１０の高さは、流路形成凹部３の高さ方向Ｚにおける内寸よりわずかに小さく形成されている。これにより、図７に示すごとく、放熱フィン部４１が挿入配置された状態において、ピン４１０の先端が流路形成凹部３を構成する底板部２０近傍に配置されるように構成されている。このピン４１０の先端と流路形成凹部３の内壁とのクリアランスは、小さいほど放熱性を向上させることができる。そのため、ピン４１０の先端と流路形成凹部３の内壁とのクリアランスは、０．５ｍｍ以下が好ましく、ピン４１０の先端が流路形成凹部３の内壁に当接する構成が特に好ましい。
【００２７】
また、放熱フィン部４１の周縁のベース部４０は平坦に成形されている。これにより、放熱フィン部４１が挿入配置された状態において、図７に示すごとく、流路形成凹部３周縁に形成された段部３１とベース部４０とが嵌合するように構成されている。また、流路形成凹部３周縁とベース部４０とは摩擦撹拌接合により接合されており、図７に示すごとく、ベース部４０と側壁部２２及び中央壁部２３との境界に沿って撹拌領域５０２が形成されている。
【００２８】
次に、熱交換器１の製造方法を説明する。熱交換器１の製造は、ハウジング部２を形成するハウジング部形成工程と、ヒートシンク部４を形成するヒートシンク部形成工程とを有している。そして、これらの各工程により得られたハウジング部２及びヒートシンク部４を公知の接合方法を用いて接合する組立工程を行うことにより、熱交換器１を得る。
【００２９】
ハウジング部形成工程は、ダイキャストによりハウジング部２の本体２００を成形するダイキャスト工程と、これにより得られたハウジング部２本体に冷媒導入口５及び冷媒導出口５０を接合する配管接続工程とから構成されている。
【００３０】
ダイキャスト工程においては、アルミニウム材の溶湯を金型に圧入することにより、底壁部と、側壁部２２と、中央凹部２１を備えた中央壁部２３とからなるハウジング部２の本体２００を形成する。本例では、ＡＤＣ１２材の溶湯を用いてダイキャスト成形を行い、中央壁部２３に形成する中央穴部２３０と、側壁部２２に形成する冷媒導入口５及び冷媒排出口との連通穴とを予め備えたハウジング部２の本体２００を得た。
【００３１】
配管接続工程においては、別途準備した円筒状の冷媒導入口５及び冷媒導出口５０を、公知の接合方法により上記ハウジング部２の本体２００と接合する。本例では、ろう付けによりハウジング部２の本体２００と冷媒導入口５及び冷媒導出口５０とを接合し、図２に示すハウジング部２を得た。
【００３２】
ヒートシンク部形成工程においては、鋳造や鍛造等の種々の方法によりヒートシンク部４を形成する。本例においては、後述する特定の化学成分と特定の機械特性とを有するアルミニウム合金材を熱間鍛造することにより、図５に示すヒートシンク部４を得た。
【００３３】
以下、ヒートシンク部形成工程について詳説する。本例では、化学成分組成が、Ｓｉ：０．２％（質量％、以下同じ）以上１．０％以下、Ｍｇ：０．４％以上１．０％以下、Ｆｅ：０．３５％以下を含有し、残部が不可避的不純物と９８％以上のアルミニウムからなり、耐力が１２０ＭＰａ以上であるアルミニウム合金材からなる鍛造用ブロックを準備した。次いで、この鍛造用ブロックを５００℃に加熱すると共に、鍛造金型を１５０℃に加熱し、フリクションプレスにより熱間鍛造した。
【００３４】
上記の熱間鍛造直後のヒートシンク部４の温度は、金型から取り出した時点で３３０℃であった。このヒートシンク部４を大気中に配置して放冷（炉外放冷）することにより室温まで冷却した。本例では、３００℃〜５０℃までの冷却期間中の冷却速度が０．４５℃／秒の冷却速度となる条件で冷却した。
【００３５】
ヒートシンク部４を室温まで冷却した後、２００℃で４時間の加熱処理（人工時効処理）を行った。
その後、バリ取りを行い、さらにスケール除去のためにショットブラストを行った。
その後、ベース部４０における放熱フィン部４１を配置した面とは反対側の面（発熱体搭載面４００）を切削し、さらに放熱フィン部４１の周縁を軽く面削仕上げすることにより、図５に示すヒートシンク部４を得た。
【００３６】
組立工程においては、上述のごとく得られたハウジング部２とヒートシンク部４とを、公知の接合方法により接合し、図１に示す熱交換器１を得る。本例では、ヒートシンク部４におけるベース部４０とハウジング部２における流路形成凹部３周縁との接合を摩擦撹拌接合で行った。具体的には、図６に示すごとく、放熱フィン部４１を流路形成凹部３側に向けた状態でヒートシンク部４を流路形成凹部３に挿入し、ベース部４０の周縁部を流路形成凹部３開口端の段部３１に当接させた。その後、回転ツールをヒートシンク部４と流路形成凹部３との境界線上の１点に圧入するとともに、この境界線に沿って回転ツールを一周させた。これにより、上述の境界線に沿って図７に示す撹拌領域５０２が形成されるとともにベース部４０とハウジング部２とが接合され、図１に示す熱交換器１を得た。
【００３７】
このように構成された熱交換器１には、冷媒導入口５と冷媒導出口５０とに外部配管が接続され、以下のごとく発熱体の冷却が行われる。まず、冷媒導入口５から冷媒液が供給されると、冷媒導入口５と連通する一方の流路形成凹部３に冷媒液が流入する。そして、流入した冷媒液は、中央壁部２３に形成された中央穴部２３０を介して他方の流路形成凹部３に流通する。このように各々の流路形成凹部３内に流入した冷媒液は、接触した放熱フィン部４１との間で熱交換を行い、放熱フィン部４１に蓄積される熱を除去する。そして、他方の流路形成凹部３から冷媒導出口５０を通過して外部配管へ排出される。
【００３８】
また、上述のごとく熱交換器１により冷却される発熱体としては、例えば、ＩＧＢＴ等のパワー半導体素子や、リアクトルやコンデンサ等の電子部品、あるいはこれらを組み合わせたパワーモジュール等、種々のものを発熱体として発熱体搭載面４００に搭載することができる。
【００３９】
次に、本例の作用効果を説明する。熱交換器１は、図６及び図７に示すごとく、ヒートシンク部４における放熱フィン部４１を流路形成凹部３に挿入した状態で配置しており、ベース部４０と側壁部２２及び中央壁部２３とが接合されている。これにより、流路形成凹部３内に冷媒液が流通した場合に、放熱フィン部４１が冷媒液に接触する。その結果、冷媒液が放熱フィン部４１から効率よく熱を除去することができるため、熱交換器１は放熱性能に優れたものとなる。
【００４０】
また、熱交換器１は、図２に示すごとく、複数の流路形成凹部３を有している。そのため、複数列に並べた発熱体を冷却する場合に好適である。また、複数の流路形成凹部３は、各々の幅を個々の流路形成凹部３に流通する冷媒液の流速分布を一様とするのに適切な範囲とすることができる。これにより、冷媒液が放熱フィン部４１全体に均一に接触しやすくなるため、放熱フィン部４１全体から均一に放熱することが可能となる。その結果、熱交換器１は、複数の発熱体を均一に冷却することが可能なものとなる。
【００４１】
また、図１に示すごとく、ヒートシンク部４の発熱体搭載面４００よりも内方に窪んだ中央凹部２１が設けられている。これにより、熱交換器１の周辺部に配置される機器類の一部が熱交換器１側に突出していても、中央凹部２１にこの突出部分を収容することができる。その結果、配置スペースを容易に確保できるとともに、デッドスペースを低減することができる。
【００４２】
また、中央壁部２３には、図２及び図４に示すごとく、隣接する流路形成凹部３を連通させるよう貫通形成された中央穴部２３０が設けられている。そのため、中央穴部２３０を介して冷媒液を複数の流路形成凹部３の間に流通させることが可能となる。これにより、冷媒導入口５及び冷媒導出口５０が各々１つずつされていれば冷媒液を複数の流路形成凹部３の間に流通させることができる。その結果、熱交換器１の部品点数を低減するとともに、熱交換器１をより小型化することができる。
【００４３】
また、ハウジング部２は、アルミニウム材をダイキャストすることにより作製されている。そのため、底板部２０や、側壁部２２、中央壁部２３等の壁面の厚みを容易に薄肉化することができる。その結果、熱交換器１をより軽量化することが可能となる。また、予め中央穴部２３０を有した状態で中央壁部２３を形成することができ、ハウジング部２の生産性を向上させることができる。
【００４４】
また、ヒートシンク部４は、図５に示すごとく、ベース部４０と、ベース部４０から立設させた多数のピン４１０とを有するとともに、アルミニウム材を用いて鍛造により一体的に成形されている。そのため、ヒートシンク部４の成形を短時間で行うことができるとともに、高精度の寸法のものを成形することができる。また、流路形成凹部３内を流通する冷媒液が、多数のピン４１０と接触しながら熱交換を行うため、熱交換を行いやすくなるとともに冷媒液の流速分布を一様にしやすいものとなる。その結果、熱交換器１の冷却性能をより向上させることができる。
【００４５】
また、ベース部４０と側壁部２２及び中央壁部２３との接合が、図７に示すごとく、摩擦撹拌接合によりなされている。これにより、上述の接合を、未接合部分のないように行うことが容易となる。そのため、接合部分からの冷媒液の漏出を防止することができる。
【００４６】
以上のごとく、上記態様によれば、冷却性能に優れ、配置スペースを容易に確保できる熱交換器を提供することができる。
【００４７】
また、本例においては、ヒートシンク部４を、上記特定の化学成分組成を有するアルミニウム材を用いて作製している。そのため、本例のヒートシンク部４は比較的高強度であり、後工程の切削加工及び組立工程においても放熱フィン部４１やベース部４０の変形を小さくすることができる。その結果、放熱フィン部４１の寸法精度や発熱体搭載面４００の平坦度等を向上させやすくなる。
【００４８】
なお、中央穴部２３０の位置及び個数は、本例のごとく中央壁部２３における長手方向Ｘの両端部２箇所に限定されることはない。例えば、長手方向Ｘの略中央部に１箇所のみ設ける構成や、多数の中央穴部２３０を等間隔に設ける構成等、種々の構成を取ることが可能である。また、中央穴部２３０の形状や寸法についても特に限定されることはなく、複数の流路形成凹部３間を冷媒液が流通可能に構成されていればよい。
【００４９】
また、冷媒導入口５と冷媒導出口５０とを配設する位置も特に限定されることはない。例えば、長手方向Ｘにおける一方の側壁に冷媒導入口５と冷媒導出口５０とを配設することもできる。
【００５０】
（実施例２）
本例は、実施例１における熱交換器１に中央穴部２３０を形成しない場合の例である。本例の熱交換器１は、図８に示すごとく、冷媒導入口５及び冷媒導出口５０を、２本の流路形成凹部３それぞれの両端に形成している。また、本例のハウジング部２は、図９に示すごとく、中央壁部２３に中央穴部２３０を形成しておらず、２本の流路形成凹部３は連通していない。その他は実施例１と同様である。
【００５１】
このように、中央穴部２３０を設けない構成であっても、実施例１と同様の作用効果を奏することができる。
【００５２】
なお、実施例１及び２には、円柱状のピン４１０よりなる放熱フィン部４１を有するヒートシンク部の例を示したが、放熱フィン部の形状は円柱状のピンに限定されることはなく、冷却設計に応じて種々の形状を採用することが可能である。例えば、角柱状のピンやコルゲートフィンを用いても良く、押出加工により作製される断面櫛歯状のプレートフィンを用いてもよい。フィンの配置や密度についても、形状と同様に冷却設計に応じて種々の態様を採用することができる。
【００５３】
また、実施例１及び２には、２本の流路形成凹部３を形成した例を示したが、流路形成凹部３の数は、冷却設計に応じて自由に変更することができる。例えば、中央壁部２３を２枚設けることにより３本の流路形成凹部３を形成してもよく、４本、あるいはそれ以上の流路形成凹部３を形成してもよい。また、流路形成凹部３の配置も、互いに平行な配置に限定されることはなく、冷却設計に応じて自由に変更することができる。
【符号の説明】
【００５４】
１  熱交換器
２  ハウジング部
２０  底板部
２１  中央凹部
２２  側壁部
２３  中央壁部
３  流路形成凹部
４  ヒートシンク部
４０  ベース部
４００  発熱体搭載面
４１  放熱フィン部
５  冷媒導入口
５０  冷媒導出口
【図１】
2013219127.tif 000003
【図２】
2013219127.tif 000004
【図３】
2013219127.tif 000005
【図４】
2013219127.tif 000006
【図５】
2013219127.tif 000007
【図６】
2013219127.tif 000008
【図７】
2013219127.tif 000009
【図８】
2013219127.tif 000010
【図９】
2013219127.tif 000011